(57)【要約】【課題】装飾部における回転機構への負荷を低減することができる遊技機を提供すること。【解決手段】本発明の遊技機は、回転装飾部２２を備える。回転装飾部２２は、回転部材１１３と、回転部材１１３が固定される第２歯車１３３（回転軸部）と、第２歯車１３３を回転させるモータ１３１（駆動部）とを有する回転機構１１５と、回転部材１１３に向けて光を出射可能なＬＥＤ１２６（発光部）とを備える。第２歯車１３３は、回転中心を含む中央部が開口（開口１３３ａ）されており、ＬＥＤ１２６から射出された光は、第２歯車１３３の開口を通って回転部材１１３に照射される。【選択図】図７
2020058836.tif 000002
【特許請求の範囲】
【請求項１】
回転装飾部を備える遊技機であって、
前記回転装飾部は、
回転部材と、
前記回転部材が固定される回転軸部と、前記回転軸部を回転させる駆動部とを有する回転機構と、
前記回転部材に向けて光を出射可能な発光部と、を備え、
前記回転軸部は、回転中心を含む中央部が開口されており、
前記発光部から射出された光は、前記回転軸部の開口を通って前記回転部材に照射される
遊技機。
【請求項２】
前記回転部材の少なくとも一部に光透過部を備え、
前記発光部から射出された光の少なくとも一部は、前記光透過部に照射される
請求項１に記載の遊技機。
【発明の詳細な説明】
【技術分野】
【０００１】
本発明は、遊技機に関する。
【背景技術】
【０００２】
一般的な遊技機は、キャビネットと、このキャビネットに対して開閉可能に取り付けられるフロントドアとを備えている。そして、フロントドアには、遊技機の機種に応じた装飾部が設けられている。装飾部としては、例えば、機械的な動作、発光、又はそれら両方を行うものがあり、そのような装飾部は、一般に「役物」と呼ばれている。
【０００３】
役物を用いた遊技機としては、例えば、特許文献１に開示されている。この特許文献１に開示された遊技機は、演出表示を行う演出表示手段と、演出表示手段の演出表示と連動して動作する可動役物とを備えている。そして、可動役物は、演出表示手段の表示部に重畳する。
【０００４】
この特許文献１に開示された遊技機によれば、表示部に重なる可動役物が動作することにより、演出表示に対して遊技者の注意をより強く喚起することが期待される。
【先行技術文献】
【特許文献】
【０００５】
【特許文献１】特開２００９−２６１５９９号公報
【発明の概要】
【発明が解決しようとする課題】
【０００６】
ところで、装飾部における回転機構への負荷を低減することが求められていた。
本発明の目的は、装飾部における回転機構への負荷を低減することができる遊技機を提供することにある。
【課題を解決するための手段】
【０００７】
回転装飾部（例えば、回転装飾部２２）を備える遊技機であって、
前記回転装飾部は、
回転部材（例えば、回転部材１１３）と、
前記回転部材が固定される回転軸部（例えば、第２歯車１３３）と、前記回転軸部を回転させる駆動部（例えば、モータ１３１）とを有する回転機構（例えば、回転機構１１５）と、
前記回転部材に向けて光を出射可能な発光部（例えば、ＬＥＤ１２６）と、を備え、
前記回転軸部は、回転中心を含む中央部が開口（例えば、開口１３３ａ）されており、
前記発光部から射出された光は、前記回転軸部の開口を通って前記回転部材に照射される
遊技機。
【発明の効果】
【０００８】
本発明によれば、装飾部における回転機構への負荷を低減することができる。
【図面の簡単な説明】
【０００９】
【図１】本発明の一実施形態の遊技機における機能フローを説明する説明図である。
【図２】本発明の一実施形態の遊技機における外観構成例を示す斜視図である。
【図３】本発明の一実施形態の遊技機における内部構造を示すものであり、フロントドアを開いた状態の斜視図である。
【図４】本発明の一実施形態の遊技機が備える回路の全体構成を示すブロック図である。
【図５】本発明の一実施形態の遊技機における副制御回路の内部構成を示すブロック図である。
【図６】本発明の一実施形態の遊技機における回転装飾部の斜視図である。
【図７】本発明の一実施形態の遊技機における回転装飾部を正面側から見た分解者静である。
【図８】本発明の一実施形態の遊技機における回転装飾部を背面側から見た分解斜視図である。
【図９】本発明の一実施形態の遊技機における回転装飾部の縦断面図である。
【図１０】本発明の一実施形態の遊技機におけるフロントパネルの背面図である。
【図１１】本発明の一実施形態の遊技機におけるフロントドアの縦断面図である。
【図１２】本発明の一実施形態の遊技機における可動装飾部の正面図である。
【図１３】本発明の一実施形態の遊技機における可動装飾部を背面側から見た分解斜視図である。
【図１４】本発明の一実施形態の遊技機における可動装飾部の左可動ユニットを背面側から見た分解斜視図である。
【図１５】本発明の一実施形態の遊技機における可動装飾部の左右の可動ユニットが待機位置に配置された状態を示す説明図である。
【図１６】図１５に示す状態から可動装飾部の左右の可動ユニットが回動した状態を示す説明図である。
【図１７】図１６に示す状態から可動装飾部の左右の可動ユニットの第２及び第３部材が第１部材に対して移動した状態を示す説明図である。
【図１８】図１７に示す状態から可動装飾部の左右の可動ユニットがさらに動作して露出位置に配置された状態を示す説明図である。
【図１９】本発明の一実施形態の遊技機における可動装飾部の左右の可動ユニットが露出位置に配置されたときのフロントパネルを正面から見た説明図である。
【発明を実施するための形態】
【００１０】
本発明の遊技機の実施の形態を示すパチスロについて、図１〜図１９を参照しながら説明する。はじめに、図１を参照して、遊技機の実施の形態に係る機能フローについて説明する。
【００１１】
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１２】
遊技者によりメダルが投入され、スタートレバーが操作されると、予め定められた数値の範囲（例えば、０〜６５５３５）の乱数から１つの値（以下、乱数値）が抽出される。
【００１３】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１４】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００１５】
パチスロでは、基本的に、ストップボタンが押されたときから規定時間（１９０ｍｓｅｃ又は７５ｍｓｅｃ）内に、該当するリールの回転を停止する制御が行われる。本実施形態では、この規定時間内にリールの回転に伴って移動する図柄の数を「滑り駒数」と呼ぶ。規定期間が１９０ｍｓｅｃである場合には、滑り駒数の最大数を図柄４個分に定め、規定期間が７５ｍｓｅｃである場合には、滑り駒数の最大数を図柄１個分に定める。
【００１６】
リール停止制御手段は、入賞に係る図柄の組合せ表示を許可する内部当籤役が決定されているときは、通常、１９０ｍｓｅｃ（図柄４コマ分）の規定時間内に、その図柄の組合せが入賞判定ラインに沿って極力表示されるようにリールの回転を停止させる。また、リール停止制御手段は、例えば、第２種特別役物であるチャレンジボーナス（ＣＢ）及びＣＢを連続して作動させるミドルボーナス（ＭＢ）の動作時には、１つ以上のリールに対して、規定時間７５ｍｓｅｃ（図柄１コマ分）内に、その図柄の組合せが入賞判定ラインに沿って極力表示されるようにリールの回転を停止させる。さらに、リール停止制御手段は、遊技状態に対応する各種規定時間を利用して、内部当籤役によってその表示が許可されていない図柄の組合せが入賞判定ラインに沿って表示されないようにリールの回転を停止させる。
【００１７】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞判定手段により入賞に係るものであるとの判定が行われると、メダルの払い出し等の特典が遊技者に与えられる。パチスロでは、以上のような一連の流れが１回の遊技として行われる。
【００１８】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００１９】
スタートレバーが操作されると、上述した内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２０】
演出内容が決定されると、演出実行手段は、リールの回転が開始されるとき、各リールの回転がそれぞれ停止されるとき、入賞の有無の判定が行われたとき等の各契機に連動させて演出の実行を進める。この演出実行手段は、後述する副制御回路が担う。このように、パチスロでは、内部当籤役に対応づけられた演出内容を実行することによって、決定された内部当籤役（言い換えると、狙うべき図柄の組合せ）を知る機会又は予想する機会が遊技者に提供され、遊技者の興味の向上を図ることができる。
【００２１】
＜パチスロの構造＞
次に、図２及び図３を参照して、本実施形態におけるパチスロの構造について説明する。
【００２２】
［外観構造］
図２は、パチスロ１の外部構造を示す斜視図である。
【００２３】
図２に示すように、パチスロ１は、外装体２を備えている。外装体２は、リールや回路基板等を収容するキャビネット２ａと、キャビネット２ａに対して開閉可能に取り付けられるフロントドア２ｂとを有している。
キャビネット２ａの両側面には、把手７が設けられている。この把手７は、パチスロ１を運搬するときに手をかける凹部である。
【００２４】
キャビネット２ａの内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【００２５】
フロントドア２ｂは、ドア本体９と、フロントパネル１０と、表示装置の一具体例を示す液晶表示装置１１とを備えている。
【００２６】
液晶表示装置１１は、ドア本体９の上部に取り付けられており、映像の表示による演出を実行する。この液晶表示装置１１は、３つのリール３Ｌ，３Ｃ，３Ｒに描かれた図柄を表示する表示窓４を含む表示部１１ａ（図１１参照）を備える。本実施形態では、表示窓４を含む表示部１１ａの全体を使って、映像の表示が行われ、演出が実行される。
【００２７】
表示窓４は、例えばアクリル板等の透明な部材で形成されている。この表示窓４は、正面（遊技者側）から見て、３つのリールの配置領域と重畳する位置に設けられ、かつ、３つのリールより手前（遊技者側）に位置するように設けられる。したがって、遊技者は、表示窓４を介して、表示窓４の背後に設けられた３つのリールを視認することができる。
【００２８】
本実施形態では、表示窓４は、その背後に設けられた対応するリールの回転が停止したとき、各リールに描かれた複数種類の図柄のうち、連続して配置された３つの図柄を表示できる大きさに設定されている。すなわち、表示窓４の枠内には、リール毎に上段、中段及び下段の各領域が設けられ、各領域に１個の図柄が表示される。そして、本実施形態では、左リール３Ｌの中段領域、中リール３Ｃの中段領域、及び、右リール３Ｒの中段領域を結ぶラインを、入賞か否かの判定を行う入賞判定ラインとして定義する。
【００２９】
フロントパネル１０は、ドア本体９の上部に取り付けられており、液晶表示装置１１を覆う大きさに設定されている。このフロントパネル１０は、液晶表示装置１１の表示部側に重畳して配置され、液晶表示装置１１の表示部を露出させる開口１０１ａを有する装飾枠１０１と、装飾枠１０１の開口１０１ａを塞ぐ保護カバー１０２とを有している。
【００３０】
保護カバー１０２は、例えば、透明の合成樹脂によって板状に形成されている。したがって、遊技者は、液晶表示装置１１及び表示窓４の背後に設けられた３つのリールを、保護カバー１０２を介して視認することができる。
【００３１】
装飾枠１０１には、ランプ群２１（図４参照）と、回転装飾部２２と、可動装飾部２３（図１９参照）とが設けられている。ランプ群２１は、例えば、図２中のランプ２１ａを含む。ランプ群２１は、ＬＥＤ（Light Emitting Diode）等で構成され、演出内容に対応するパターンで、光を点灯及び消灯する。
【００３２】
回転装飾部２２は、装飾枠１０１の上部における略中央に配置されている。この回転装飾部２２は、特定の演出が行われる場合に回転動作及び発光を行う。可動装飾部２３は、装飾枠１０１の裏面側（液晶表示装置１１側）に配置されており、通常、装飾枠１０１に隠れている。そして、特別の演出が行われる場合に回動して、装飾枠１０１の開口１０１ａに露出される（図１９参照）。
【００３３】
ドア本体９の中央には、台座部１２が形成されている。この台座部１２には、遊技者の操作対象となる各種装置（メダル投入口１３、ＭＡＸベットボタン１４、１ＢＥＴボタン１５、スタートレバー１６、ストップボタン１７Ｌ，１７Ｃ，１７Ｒ）が設けられている。
【００３４】
メダル投入口１３は、遊技者によって外部からパチスロ１に投下されるメダルを受け入れるために設けられる。メダル投入口１３から受け入れられたメダルは、所定枚数（例えば３枚）を上限として１回の遊技に使用され、所定枚数を超えた分は、パチスロ１の内部に預けることができる（いわゆるクレジット機能）。
【００３５】
ＭＡＸベットボタン１４及び１ＢＥＴボタン１５は、パチスロ１の内部に預けられているメダルから１回の遊技に使用する枚数を決定するために設けられる。なお、図２には示さないが、台座部１２には、精算ボタンが設けられる。この精算ボタンは、パチスロ１の内部に預けられているメダルを外部に引き出す（排出する）ために設けられる。
【００３６】
スタートレバー１６は、全てのリール（３Ｌ，３Ｃ，３Ｒ）の回転を開始するために設けられる。ストップボタン１７Ｌ，１７Ｃ，１７Ｒは、それぞれ、左リール３Ｌ、中リール３Ｃ、右リール３Ｒに対応づけて設けられ、各ストップボタンは対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００３７】
また、台座部１２には、７セグメントＬＥＤ（Light Emitting Diode）からなる７セグ表示器６が設けられている。この７セグ表示器６は、特典として遊技者に対して払い出すメダルの枚数（以下、払出枚数）、パチスロ１の内部に預けられているメダルの枚数（以下、クレジット枚数）等の情報をデジタル表示する。
【００３８】
ドア本体９の下部には、メダル払出口１８、メダル受皿１９、スピーカ２０Ｌ，２０Ｒ等が設けられている。メダル払出口１８は、後述のメダル払出装置３３の駆動により排出されるメダルを外部に導く。メダル受皿１９は、メダル払出口１８から排出されたメダルを貯める。また、スピーカ２０Ｌ，２０Ｒは、演出内容に対応する効果音や楽曲等の音を出力する。
【００３９】
［内部構造］
次に、パチスロ１の内部構造を、図３を参照しながら説明する。
図３は、パチスロ１の内部構造を示す斜視図である。
【００４０】
キャビネット２ａは、正面側の一面が開口された略直方体状に形成されている。このキャビネット２ａ内の上部には、後述の主制御回路４１（図４参照）を構成する主基板３１が設けられている。主制御回路４１は、内部当籤役の決定、各リールの回転及び停止、入賞の有無の判定等の、パチスロ１における遊技の主な動作及び該動作間の流れを制御する回路である。なお、主制御回路４１の具体的な構成は後述する。
【００４１】
キャビネット２ａ内の中央部には、３つのリール（左リール３Ｌ、中リール３Ｃ及び右リール３Ｒ）が設けられている。なお、図３には示さないが、各リールは、所定の減速比を有する歯車を介して対応する後述のステッピングモータ（図４中のステッピングモータ６１Ｌ，６１Ｃ，６１Ｒのいずれか）に接続される。
【００４２】
キャビネット２ａ内の下部には、多量のメダルを収容可能であり、かつ、それらを１枚ずつ排出可能な構造を有するメダル払出装置３３（以下、ホッパー３３という）が設けられている。また、キャビネット２ａ内における、ホッパー３３の一方の側部（図３に示す例では左側）には、パチスロ１が有する各装置に対して必要な電力を供給する電源装置３４が設けられている。
【００４３】
フロントドア２ｂの裏面側（表示画面側とは反対側の部分）における上部には、後述の副制御回路４２（図４及び図５参照）を構成する副基板３２が設けられている。副制御回路４２は、映像の表示等による演出の実行を制御する回路である。なお、副制御回路４２の具体的な構成は後述する。
【００４４】
さらに、フロントドア２ｂの裏面側における略中央部には、セレクタ３５が設けられている。セレクタ３５は、メダル投入口１３を介して外部から投入されたメダルの材質や形状等が適正である否かを選別する装置であり、適正であると判定したメダルをホッパー３３に案内する。また、図３には示さないが、セレクタ３５内においてメダルが通過する経路上には、適正なメダルが通過したことを検出するメダルセンサ３５Ｓ（後述の図４参照）が設けられている。
【００４５】
＜パチスロが備える回路の構成＞
次に、パチスロ１が備える回路の構成について、図４及び図５を参照して説明する。
図４は、パチスロ１が備える回路全体のブロック構成図である。図５は、副制御回路の内部構成を示すブロック構成図である。
【００４６】
パチスロ１は、主制御回路４１、副制御回路４２、及び、これらの回路と電気的に接続される周辺装置（アクチュエータ）を備える。
【００４７】
［主制御回路］
主制御回路４１は、主に、回路基板（主基板３１）上に設置されたマイクロコンピュータ５０により構成される。それ以外の構成要素として、主制御回路４１は、クロックパルス発生回路５４、分周器５５、乱数発生器５６、サンプリング回路５７、表示部駆動回路６４、ホッパー駆動回路６５、及び、払出完了信号回路６６を含む。
【００４８】
マイクロコンピュータ５０は、メインＣＰＵ５１、メインＲＯＭ（Read Only Memory）５２及びメインＲＡＭ（Random Access Memory）５３により構成される。
【００４９】
メインＲＯＭ５２には、メインＣＰＵ５１により実行される各種処理の制御プログラム、内部抽籤テーブル等のデータテーブル、副制御回路４２に対して各種制御指令（コマンド）を送信するためのデータ等が記憶されている。メインＲＡＭ５３には、制御プログラムの実行により決定された内部当籤役等の各種データを格納する格納領域が設けられている。
【００５０】
メインＣＰＵ５１には、クロックパルス発生回路５４、分周器５５、乱数発生器５６及びサンプリング回路５７が接続されている。クロックパルス発生回路５４及び分周器５５は、クロックパルスを発生する。なお、メインＣＰＵ５１は、発生されたクロックパルスに基づいて、制御プログラムを実行する。また、乱数発生器５６は、予め定められた範囲の乱数（例えば、０〜６５５３５）を発生する。そして、サンプリング回路５７は、発生された乱数の中から１つの値を抽出する。
【００５１】
マイクロコンピュータ５０の入力ポートには、各種スイッチ及びセンサ等が接続される。メインＣＰＵ５１は、各種スイッチ等からの入力信号を受けて、ステッピングモータ６１Ｌ，６１Ｃ，６１Ｒ等の周辺装置の動作を制御する。
【００５２】
ストップスイッチ１７Ｓは、左ストップボタン１７Ｌ、中ストップボタン１７Ｃ、右ストップボタン１７Ｒのそれぞれが遊技者により押されたこと（停止操作）を検出する。スタートスイッチ１６Ｓは、スタートレバー１６が遊技者により操作されたこと（開始操作）を検出する。精算スイッチ１４Ｓは、精算ボタンが遊技者により押されたことを検出する。
【００５３】
メダルセンサ３５Ｓは、メダル投入口１３に投入されたメダルがセレクタ３５内を通過したことを検出する。また、ベットスイッチ１２Ｓは、ベットボタン（ＭＡＸベットボタン１４又は１ＢＥＴボタン１５）が遊技者により押されたことを検出する。
【００５４】
また、マイクロコンピュータ５０により動作が制御される周辺装置としては、３つのステッピングモータ６１Ｌ，６１Ｃ，６１Ｒ、７セグ表示器６及びホッパー３３がある。また、マイクロコンピュータ５０の出力ポートには、各周辺装置の動作を制御するための駆動回路が接続される。
【００５５】
モータ駆動回路６２は、左リール３Ｌ、中リール３Ｃ、右リール３Ｒに対応してそれぞれ設けられた３つのステッピングモータ６１Ｌ，６１Ｃ，６１Ｒの駆動を制御する。リール位置検出回路６３は、発光部と受光部とを有する光センサにより、リールが一回転したことを示すリールインデックスをリール毎に検出する。
【００５６】
３つのステッピングモータ６１Ｌ，６１Ｃ，６１Ｒのそれぞれは、その運動量がパルスの出力数に比例し、回転軸を指定された角度で停止させることが可能な構成を有する。また、各ステッピングモータの駆動力は、所定の減速比を有する歯車を介して、対応するリールに伝達される。そして、各ステッピングモータに対して１回のパルスが出力されるごとに、対応するリールは一定の角度で回転する。
【００５７】
メインＣＰＵ５１は、各リールのリールインデックスを検出してから対応するステッピングモータに対してパルスが出力された回数をカウントすることによって、各リールの回転角度（具体的には、リールが図柄何個分だけ回転したか）を管理する。
【００５８】
ここで、各リールの回転角度の管理を具体的に説明する。各ステッピングモータに対して出力されたパルスの数は、メインＲＡＭ５３に設けられたパルスカウンタ（不図示）によって計数される。そして、図柄１個分の回転に必要な所定回数（例えば１６回）のパルスの出力がパルスカウンタで計数されるごとに、メインＲＡＭ５３に設けられた図柄カウンタ（不図示）の値に、「１」が加算される。なお、図柄カウンタは、リール毎に設けられる。そして、図柄カウンタの値は、リール位置検出回路６３によってリールインデックスが検出されるとクリアされる。
【００５９】
すなわち、本実施形態では、図柄カウンタの値を管理することにより、リールインデックスが検出されてから図柄何個分の回転動作が行われたのかを管理する。それゆえ、各リールの各図柄の位置は、リールインデックスが検出される位置を基準として検出される。
【００６０】
なお、表示部駆動回路６４は、７セグ表示器６の動作を制御する。ホッパー駆動回路６５は、ホッパー３３の動作を制御する。また、払出完了信号回路６６は、ホッパー３３に設けられたメダル検出部３３Ｓが行うメダルの検出を管理し、ホッパー３３から外部に排出されたメダルが所定の払出枚数に達したか否かをチェックする。
【００６１】
［副制御回路］
図４及び図５に示すように、副制御回路４２は、主制御回路４１と電気的に接続され、主制御回路４１から送信されるコマンドに基づいて演出内容の決定や実行等の処理を行う。副制御回路４２は、基本的には、図５に示すように、サブＣＰＵ８１、サブＲＯＭ８２、サブＲＡＭ８３、レンダリングプロセッサ８４、描画用ＲＡＭ８５、及び、ドライバ８６を含む。さらに、副制御回路４２は、ＤＳＰ（Digital Signal Processor）９０、オーディオＲＡＭ９１、Ａ／Ｄ（Analog to Digital）変換器９２、アンプ９３、回転装飾部駆動回路９５、及び、可動装飾部駆動回路９６を含む。
【００６２】
サブＣＰＵ８１は、主制御回路４１から送信されたコマンドに応じて、サブＲＯＭ８２に記憶されている制御プログラムに従い、映像、音、光の出力制御を行う。なお、サブＲＯＭ８２は、基本的には、プログラム記憶領域及びデータ記憶領域を有する。
【００６３】
プログラム記憶領域には、サブＣＰＵ８１が実行する各種制御プログラムが記憶される。なお、プログラム記憶領域に格納される制御プログラムには、例えば、主制御回路４１との通信を制御するための主基板通信タスク、演出用乱数値を抽出して演出内容（演出データ）の決定及び登録を行うための演出登録タスク、決定した演出内容に基づいて液晶表示装置１１による映像の表示を制御するための描画制御タスク、ランプ群２１による光の出力を制御するためのランプ制御タスク、スピーカ２０Ｌ，２０Ｒによる音の出力を制御するための音声制御タスク等のプログラムが含まれる。
【００６４】
データ記憶領域には、例えば、各種データテーブルを記憶する記憶領域、各種演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等の各種記憶領域が含まれる。
【００６５】
サブＲＡＭ８３は、決定された演出内容や演出データを登録する格納領域や、主制御回路４１から送信される内部当籤役等の各種データを格納する格納領域などを有する。
【００６６】
また、副制御回路４２には、図５に示すように、液晶表示装置１１、スピーカ２０Ｌ，２０Ｒ、ランプ群２１、回転装飾部２２、及び、可動装飾部２３等の周辺装置が接続されている。つまり、これらの周辺装置の動作は、副制御回路４２により制御される。
【００６７】
本実施形態では、サブＣＰＵ８１、レンダリングプロセッサ８４、描画用ＲＡＭ８５（フレームバッファを含む）及びドライバ８６は、演出内容により指定されたアニメーションデータに従って映像を作成し、該作成した映像は液晶表示装置１１により表示される。
【００６８】
また、サブＣＰＵ８１、ＤＳＰ９０、オーディオＲＡＭ９１、Ａ／Ｄ変換器９２及びアンプ９３は、演出内容により指定されたサウンドデータに従ってＢＧＭ等の音をスピーカ２０Ｌ，２０Ｒにより出力する。さらに、サブＣＰＵ８１は、演出内容により指定されたランプデータに従ってランプ群２１の点灯及び消灯を行う。
【００６９】
サブＣＰＵ８１及び回転装飾部駆動回路９５は、演出内容により指定された回転装飾部駆動データに従って回転装飾部２２の駆動を行う。つまり、回転装飾部２２は、特定の演出が行われる場合に発光及び回転する。
【００７０】
サブＣＰＵ８１及び可動装飾部駆動回路９６は、演出内容により指定された可動装飾部駆動データに従って可動装飾部２３の駆動を行う。つまり、可動装飾部２３は、特別の演出が行われる場合に回動してフロントパネル１０の開口１０１ａに露出される。
【００７１】
＜回転装飾部の構成＞
次に、回転装飾部２２の構成について、図６〜図９を参照して説明する。
図６は、回転装飾部２２の斜視図である。図７は、回転装飾部２２を正面側から見た分解者静であり、図８は、回転装飾部２２を背面側から見た分解斜視図である。図９は、回転装飾部２２の縦断面図である。
【００７２】
図６〜図８に示すように、回転装飾部２２は、取付ブラケット１１１と、ケース１１２と、回転部材１１３と、ケースカバー１１４と、回転機構１１５と、複数の転動体１１６Ａ及び複数の転動体１１６Ｂとを備えている。
この回転装飾部２２は、上下方向に直交する平面に対して傾斜した状態で装飾枠１０１（図２参照）に取り付けられている。
【００７３】
［取付ブラケット］
取付ブラケット１１１は、有底の筒状に形成されており、底部１２１と、側周部１２２と、フランジ部１２３とを有している。側周部１２２は、略円筒状に形成されており、底部１２１は、側周部１２２の軸方向の一端を塞いでいる。回転装飾部２２を装飾枠１０１（図２参照）に取り付けた状態において、側周部１２２の軸方向は、上下方向に直交する平面に対して傾斜しており、底部１２１のケース１１２に対向する面は、斜め下方を向いている。
【００７４】
底部１２１のケース１１２に対向する面には、基板１２５が固定されている。基板１２５には、発光部である複数のＬＥＤ１２６が実装されている。これら複数のＬＥＤ１２６は、回転部材１１３の後述する光透過部１５５に対向する。
【００７５】
フランジ部１２３は、側周部１２２の軸方向の他端に連続して形成され、側周部１２２における径方向の外側に突出している。このフランジ部１２３には、２つの取付片１２３ａと、３つのケース固定部１２３ｂが設けられている。２つの取付片１２３ａは、装飾枠１０１（図２参照）に設けられた不図示の取付ブラケット固定部にねじを用いて固定される。また、３つのケース固定部１２３ｂには、ケース１１２の後述する３つの取付用ボス１４５（図８参照）が固定される。
【００７６】
［回転機構］
図７及び図８に示すように、取付ブラケット１１１には、回転部材１１３を回転させる回転機構１１５が配置されている。この回転機構１１５は、取付ブラケット１１１の底部１２１に取り付けられたモータ（駆動部）１３１と、モータ１３１の回転軸に固定される第１歯車１３２と、第１歯車１３２に噛み合う第２歯車１３３とを有している。
【００７７】
第２歯車１３３は、本発明に係る回転軸部の一具体例を示すものである。この第２歯車１３３は、取付ブラケット１１１における側周部１２２の内側に配置されており、回転部材１１３が固定される。この第２歯車１３３の軸心線は、取付ブラケット１１１における側周部１２２の軸心線と一致している。
【００７８】
第２歯車１３３の外形は、基板１２５の外径よりも大きく形成されている。そして、第２歯車１３３の中央部には、ＬＥＤ１２６を回転部材１１３に向けて露出させるための開口１３３ａが形成されている。また、第２歯車１３３には、３つの回転部材固定部１３３ｂが設けられている。３つの回転部材固定部１３３ｂには、回転部材１１３の後述する３つの取付用ボス１５９（図８参照）が固定される。
【００７９】
［ケース］
ケース１１２は、取付ブラケット１１１と同様に、有底の筒状に形成されており、底部１４１と、側壁部１４２と、フランジ部１４３とを有している。側壁部１４２は、略円筒状に形成されており、底部１４１は、側壁部１４２の軸方向の一端を塞いでいる。
【００８０】
底部１４１の中央部には、円形の貫通孔１４１ａが形成されている。この貫通孔１４１ａの径は、第２歯車１３３の径よりも小さく設定されている。貫通孔１４１ａを形成する底部１４１の内周面１４１ｂは、本発明に係るケースが有する内壁面の一具体例を示すものである。この内周面１４１ｂには、複数の転動体１１６Ａが接触する。また、底部１４１の回転部材１１３に対向する面には、複数の転動体１１６Ｂが接触する。
【００８１】
図８に示すように、側壁部１４２の外周面には、３つの取付用ボス１４５が設けられている。取付用ボス１４５は、側壁部１４２の軸方向に延びる略円筒状に形成されており、内部に雌ねじ部を有している。これら３つの取付用ボス１４５は、取付ブラケット１１１の３つのケース固定部１２３ｂにそれぞれねじ（不図示）を用いて固定される。
【００８２】
ケース１１２を取付ブラケット１１１に固定すると、ケース１１２における貫通孔１４１ａの中心は、第２歯車１３３の軸心線及び取付ブラケット１１１における側周部１２２の軸心線と一致する。
【００８３】
なお、取付ブラケット１１１に対するケース１１２の固定は、ねじを用いることに限定されるものではなく、例えば、接着剤を用いた固定、カシメ固定、嵌合固定などのその他の固定方法を採用することができる。
【００８４】
フランジ部１４３は、側壁部１４２の軸方向の他端に連続している。このフランジ部１４３は、側壁部１４２における径方向の外側に突出しており、外周の輪郭が楕円形に形成されている。このフランジ部１４３には、ケースカバー１１４が接合される。
【００８５】
［回転部材］
回転部材１１３は、中空の円柱状に形成されており、体裁面となる表面１５１と、裏面１５２と、側面１５３を有している。この回転部材１１３の外径は、ケース１１２における側壁部１４２の内径よりも小さく設定されている。回転部材１１３は、ケース１１２内に回転可能に収容される。
【００８６】
回転部材１１３における表面１５１の中央部には、三角形の光透過部１５５が設けられている。この光透過部１５５は、光を透過させる透明又は半透明の部材により形成されており、光を透過させる。
【００８７】
図８に示すように、回転部材１１３における裏面１５２の中央部には、円形の貫通孔１５２ａが形成されている。この貫通孔１５２ａは、表面１５１の光透過部１５５に対向している。また、貫通孔１５２ａは、ケース１１２の貫通孔１４１ａと第２歯車１３３の開口１３３ａに対向している。これにより、回転部材１１３の光透過部１５５は、複数のＬＥＤ１２６と対向する。
【００８８】
また、裏面１５２には、内側筒１５６と、外側筒１５７と、３つの転動体収容部１５８が設けられている。内側筒１５６は、貫通孔１５２ａ周縁を囲む円筒状に形成されている。この内側筒１５６の外径は、ケース１１２における貫通孔１４１ａの直径よりも小さい。内側筒１５６は、ケース１１２における貫通孔１４１ａを貫通して第２歯車１３３の開口１３３ａ（図７参照）に挿入され、第２歯車１３３と嵌合する。
【００８９】
外側筒１５７は、内側筒１５６を囲う円筒状に形成されている。この外側筒１５７の外径は、ケース１１２における貫通孔１４１ａの直径よりも小さい。これにより、外側筒１５７は、ケース１１２における貫通孔１４１ａを貫通する。外側筒１５７が裏面１５２から突出する高さは、内側筒１５６が裏面１５２から突出する高さよりも低い。したがって、外側筒１５７は、第２歯車１３３に干渉しない。
【００９０】
外側筒１５７の外周面は、本発明に係る回転部材が有する側周面の一具体例を示すものである。この外側筒１５７の外周面には、３つの転動体収容凹部１５７ａが設けられている。３つの転動体収容凹部１５７ａは、外側筒１５７の周方向に沿って等間隔で並ぶように配置されており、それぞれ球状の転動体１１６Ａを転動可能に収容する。
【００９１】
転動体収容凹部１５７ａにおける外側筒１５７の径方向の深さ（長さ）は、転動体１１６Ａの直径よりも小さい（短い）。したがって、転動体収容凹部１５７ａに収容された転動体１１６Ａは、外側筒１５７の外周面よりも外側筒１５７の径方向に突出し、ケース１１２の内周面１４１ｂに接触する（図９参照）。
【００９２】
内側筒１５６と外側筒１５７との間には、３つの取付用ボス１５９が設けられている。取付用ボス１５９は、裏面１５２から垂直に突出する略円筒状に形成されており、内部に雌ねじ部を有している。これら３つの取付用ボス１５９は、第２歯車１３３の３つの回転部材固定部１３３ｂにそれぞれねじ１３０（図９参照）を用いて固定される。これにより、回転部材１１３は、第２歯車１３３に固定され、第２歯車１３３と一緒に回転する。
【００９３】
回転部材１１３を第２歯車１３３に固定すると、回転部材１１３の軸心線は、第２歯車１３３の軸心線及び取付ブラケット１１１における側周部１２２の軸心線と一致する。そのため、回転装飾部２２を装飾枠１０１（図２参照）に取り付けた状態において、回転部材１１３の軸方向（軸心線）が上下方向に直交する平面に対して傾斜しており、回転部材１１３は、表面１５１が斜め下方を向くように傾斜している。
【００９４】
なお、第２歯車１３３に対する回転部材１１３の固定は、ねじを用いることに限定されるものではなく、例えば、接着剤を用いた固定、カシメ固定、嵌合固定などのその他の固定方法を採用することができる。
【００９５】
３つの転動体収容部１５８は、裏面１５２の外縁部に設けられている。そして、裏面１５２の周方向に沿って等間隔で並ぶように配置されている。各転動体収容部１５８は、裏面１５２から突出する四角形の枠状に形成されており、球状の転動体１１６Ｂを転動可能に収容する。
【００９６】
転動体収容部１５８の裏面１５２から突出する長さは、転動体１１６Ｂの直径よりも短い。したがって、転動体収容部１５８に収容された転動体１１６Ｂは、転動体収容部１５８の上端面よりも突出することになり、ケース１１２の底部１４１に接触する（図９参照）。
【００９７】
［ケースカバー］
ケースカバー１１４は、例えばアクリル板等の透明な部材又は半透明な部材によってドーム状に形成されている。このケースカバー１１４における縁部１１４ａの輪郭は、ケース１１２におけるフランジ部１４３の外周の輪郭に略等しい楕円形に形成されている。
【００９８】
ケースカバー１１４の縁部１１４ａは、ケース１１２のフランジ部１４３に接合される。これにより、ケースカバー１１４は、ケース１１２に収容された回転部材１１３の表面１５１を覆う。遊技者は、遊技者は、ケースカバー１１４を介して、回転部材１１３の表面１５１を視認することができる。
【００９９】
＜回転装飾部の動作＞
次に、回転装飾部２２の動作について、図９を参照して説明する。
本実施の形態では、特定の演出を行う場合に、回転装飾部２２を発光させると共に回転動作させる。
【０１００】
特定の演出を行うことが決定されると、サブＣＰＵ８１及び回転装飾部駆動回路９５（図５参照）は、回転装飾部駆動データに従って回転装飾部２２の駆動を行う。つまり、ＬＥＤ１２６を発光させると共に、モータ１３１を駆動させる。
【０１０１】
ＬＥＤ１２６から出射された光は、第２歯車１３３の開口１３３ａ、回転部材１１３の内側筒１５６及び貫通孔１５２ａを通って、光透過部１５５を透過する（図９参照）。これにより、遊技者には、回転装飾部２２の光透過部１５５が発光したように見える。
【０１０２】
また、モータ１３１が駆動すると、モータ１３１の回転軸（不図示）とその回転軸に固定された第１歯車１３２が回転する。そして、第１歯車１３２の回転は、減速されながら第２歯車１３３に伝達される。これにより、第２歯車１３３に固定された回転部材１１３が回転する。
【０１０３】
回転部材１１３は、複数の転動体１１６Ａ，１１６Ｂを介してケース１１２に回転可能に収容されている。これにより、回転部材１１３の自重が回転機構１１５とケース１１２とに分散されて加わることになり、回転機構１１５にかかる負荷を低減することができる。その結果、回転機構１１５の破損や故障を抑制することができる。
【０１０４】
また、回転部材１１３とケース１１２との間に複数の転動体１１６Ａ，１１６Ｂが介在されている。これにより、回転部材１１３がケース１１２に対して回転するとき、３つの転動体１１６Ａは、回転部材１１３の外側筒１５７における外周面とケース１１２の内周面１４１ｂとに接触しながら回転する。また、３つの転動体１１６Ｂは、回転部材１１３の裏面１５２とケース１１２の底部１４１とに接触しながら回転する。
【０１０５】
したがって、回転部材１１３とケース１１２とを直接接触させる場合よりも、回転部材１１３の回転に対する抵抗を低減することができる。その結果、回転機構１１５にかかる負荷をさらに低減することができる。
【０１０６】
また、回転部材１１３の外側筒１５７における外周面とケース１１２の内周面１４１ｂとは、回転部材１１３の径方向に対向して転動体１１６Ａを挟む。一方、回転部材１１３の裏面１５２とケース１１２の底部１４１とは、回転部材１１３の径方向に対向して転動体１１６Ｂを挟む。これにより、回転部材１１３の姿勢を、回転部材１１３の径方向及び軸方向で安定させることができる。
【０１０７】
また、本実施の形態では、光透過部１５５を設けた回転部材１１３の表面１５１が斜め下方を向くため、光透過部１５５を遊技者に向けることができる。その結果、回転装飾部２２の発光及び回転動作を遊技者から見え易くすることができる。
【０１０８】
また、本実施の形態では、ケース１１２の底部１４１に貫通孔１４１ａが形成されており、回転機構１１５の第２歯車１３３は、貫通孔１４１ａを介して回転部材１１３に固定されている。これにより、回転部材１１３の軸心線と第２歯車１３３の軸心線とを一致させることができる。
【０１０９】
また、本実施の形態では、回転装飾部２２が取付ブラケット１１１を備える構成とした。この取付ブラケット１１１には、ＬＥＤ１２６が実装された基板１２５が固定されている。また、第２歯車１３３の軸心を含む中央部には、開口１３３ａが形成されており、ＬＥＤ１２６は、第２歯車１３３の開口１３３ａを介して回転部材１１３の光透過部１５５に対向している。
【０１１０】
これにより、回転部材１１３の光透過部１５５が発光しているように見せることができる。また、ＬＥＤ１２６から出射された光を、回転部材１１３の表面１５１の中央部にある光透過部１５５に照射させることができる。さらに、基板１２５とＬＥＤ１２６を回転部材１１３と一緒に回転させないため、回転部材１１３を発光させる構成にしても、第１及び第２歯車１３２，１３３及びモータ１３１にかかる負荷を軽くすることができる。
【０１１１】
本実施の形態では、発光部の一具体例として、ＬＥＤ１２６を用いた。しかしながら、本発明に係る発光部としては、ＬＥＤ（Light Emitting Diode）に限定されず、例えば、白熱電球や蛍光ランプ等を用いてもよい。
【０１１２】
また、本実施の形態では、転動体１１６Ａが、回転部材１１３の外側筒１５７における外周面とケース１１２の内周面１４１ｂとの間に介在されている。回転部材１１３の外側筒１５７における外周面は、本発明に係る回転部材の側周面を示し、ケース１１２の内周面１４１ｂは、本発明に係るケースの内壁面を示す。
しかしながら、本発明に係る回転部材の側周面としては、例えば、回転部材１１３の側面１５３であってもよい。この場合、転動体は、回転部材１１３の側面１５３とケース１１２における側壁部１４２の内面との間に介在させる。
【０１１３】
＜閉塞空間の冷却構造＞
次に、フロントドア２ｂに形成される閉塞空間と、この閉塞空間の冷却構造について、図１０及び図１１を参照して説明する。
図１０は、フロントドア２ｂに設けたフロントパネル１０の背面図である。図１１は、フロントドア２ｂの縦断面図である。
【０１１４】
図１０に示すように、装飾枠１０１は、開口１０１ａを有する略四角形の枠状に形成されており、上枠部１０５と、下枠部１０６と、左枠部（裏面側から見て左側）１０７と、右枠部（裏面側から見て右側）１０８から構成されている。上枠部１０５の裏面における中央部分には、前述した可動装飾部２３が取り付けられている。また、装飾枠１０１の裏面における上枠部１０５と右枠部１０８によって形成される角部分には、送風機２０１が取り付けられている。
【０１１５】
可動装飾部２３及び送風機２０１は、装飾枠１０１の裏面に対向している。したがって、装飾枠１０１を表面側から見ると、可動装飾部２３及び送風機２０１は、装飾枠１０１に隠れており、遊技者は、開口１０１ａから可動装飾部２３及び送風機２０１を視認できない。
なお、可動装飾部２３は、装飾枠１０１に対して回動することにより、開口１０１ａに露出される。この可動装飾部２３の構成及び動作については、後で詳しく説明する。
【０１１６】
図１１に示すように、本実施の形態では、液晶表示装置１１、装飾枠１０１及び保護カバー１０２によって閉塞空間２００を形成する。そして、可動装飾部２３（不図示）及び送風機２０１は、閉塞空間２００の上部に配置されている。
【０１１７】
閉塞空間２００は、完全に密閉された空間ではなく、例えば、装飾枠１０１と保護カバー１０２との間や、装飾枠１０１と液晶表示装置１１との間には、微細な間隙が形成されている。したがって、閉塞空間２００は、上述したような微細な間隙によって外部空間と連通している。
【０１１８】
送風機２０１は、例えば、シロッコファンであり、閉塞空間２００内で送風を行って閉塞空間２００内の温度を下げる。この送風機２０１は、適当な厚みを有する円盤状に形成されている。送風機２０１の一方の平面には、吸気口２０１ａが形成されており、側周面には、排気口２０１ｂが形成されている。
【０１１９】
送風機２０１は、吸気口２０１ａが液晶表示装置１１とは反対側（装飾枠１０１の裏面側）に向くように配置されている。なお、送風機２０１の一方の平面と装飾枠１０１の裏面との間には、適当な間隙が設けられている。また、送風機２０１は、排気口２０１ｂが装飾枠１０１の左枠部１０７に向くように配置されている。
【０１２０】
送風機２０１の排気口２０１ｂから排出される空気は、表示部１１ａに沿って水平方向に進行する。これにより、液晶表示装置１１の表示部１１ａによって暖められた空気を効率よく流動させることができる。また、閉塞空間２００内の対流により上昇した暖かい空気を、送風機２０１が排出した空気によって流動させることができる。これにより、閉塞空間２００の上部に暖かい空気が溜まることを防止することができる。
【０１２１】
閉塞空間２００は、完全に密閉された空間ではなく、外部空間と連通している。そのため、閉塞空間２００内の空気が流動することにより、閉塞空間２００と外部空間との間で生じる空気の出入りを促進させることができる。その結果、閉塞空間２００内に熱が溜まらないようにすることができ、閉塞空間２００内の温度を下げることができる。
【０１２２】
本発明に係る送風機は、閉塞空間２００の上部に配置することが好ましい。これにより、閉塞空間２００内の対流により上昇した暖かい空気を流動させることができる。
なお、本発明に係る送風機は、閉塞空間２００の下部や閉塞空間２００の上下方向における中間部に配置してもよい。この場合においても、閉塞空間２００内の空気を流動させることができ、閉塞空間２００内の温度を下げることができる。
【０１２３】
本発明に係る送風機の排気口から排出される空気は、表示部１１ａに沿って進行することが好ましい。これにより、液晶表示装置１１の表示部１１ａによって暖められた空気を効率よく流動させることができる。さらに、本発明に係る送風機の排気口から排出される空気は、表示部１１ａに沿って水平方向に進行することが好ましい。これにより、閉塞空間２００内の空気の攪拌することができ、閉塞空間２００内の温度を下げることができる。
【０１２４】
なお、本発明に係る送風機は、排気口から排出される空気が表示部１１ａに沿って上下方向に進行するように配置されていてもよい。この場合においても、液晶表示装置１１の表示部１１ａによって暖められた空気を効率よく流動させることができる。
【０１２５】
＜可動装飾部の構成＞
次に、可動装飾部２３の構成について、図１２〜図１４を参照して説明する。
図１２は、可動装飾部２３の正面図である。図１３は、可動装飾部２３を背面側から見た分解斜視図である。図１４は、可動装飾部２３における左可動ユニット３０２を背面側から見た分解斜視図である。
【０１２６】
図１２及び図１３に示すように、可動装飾部２３は、ベース部３０１と、左可動ユニット３０２及び右可動ユニット３０３と、駆動機構３０４と、背面カバー３０５と、当接部３０６とを備えている。
【０１２７】
［ベース部］
ベース部３０１は、後面及び底面が開口された略四角形の箱状に形成されており、上板部３１１と、左右の側板部３１２，３１３と、前板部３１４とを有している。このベース部３０１は、装飾枠１０１の上枠部１０５にねじなどを用いて固定されている。
【０１２８】
以下、左右の側板部３１２，３１３が互いに対向する方向を左右方向Ｘとする。この左右方向Ｘは、本発明に係る第１の方向を示す。また、前板部３１４の背面に直交する方向を前後方向Ｙとして、左右方向Ｘ及び前後方向Ｙに直交する方向を上下方向Ｚとする。
【０１２９】
前板部３１４は、一方の平面である前面３１４ａと、他方の平面である背面３１４ｂとを有している。前板部３１４の前面３１４ａは、装飾枠１０１の上枠部１０５に対向する。一方、前板部３１４の背面３１４ｂは、背面カバー３０５に対向する。
図１３に示すように、前板部３１４における背面３１４ｂの下部には、ユニット接続部３２１，３２２が設けられており、略中央部には、ガイドピン取付部３２３，３２４が設けられている。
【０１３０】
ユニット接続部３２１，３２２は、左右方向Ｘに所定の間隔をあけて並んでいる。ユニット接続部３２１には、左可動ユニット３０２が回動可能に接続され、ユニット接続部３２２は、右可動ユニット３０３が回動可能に接続される。左可動ユニット３０２及び右可動ユニット３０３は、前後方向Ｙに延びる回動軸を中心に回動する。
【０１３１】
ガイドピン取付部３２３，３２４は、左右方向Ｘに所定の間隔をあけて並んでいる。ガイドピン取付部３２３，３２４には、それぞれ嵌合孔が形成されている。これらガイドピン取付部３２３，３２４の嵌合孔には、駆動機構３０４の後述するガイドピン３３４，３３５（図１５参照）がそれぞれ嵌入される。
【０１３２】
［左右の可動ユニット］
左可動ユニット３０２と右可動ユニット３０３は、ユニット接続部３２１，３２２に回動可能に接続されることにより、左右方向Ｘに並んで配置される。左可動ユニット３０２は、駆動機構３０４に接続されている。これにより、左可動ユニット３０２は、前後方向Ｙに延びる回動軸を中心として、第１の回転方向Ｒ１及び第２の回転方向Ｒ２に回動する。
【０１３３】
また、左可動ユニット３０２は、回動軸（不図示）が設けられた歯車片３７３を有している。そして、歯車片３７３には、前後方向Ｙに突出する係合ピン３７８が形成されている。この係合ピン３７８は、駆動機構３０４の後述するスライダ３３３に係合される。
【０１３４】
右可動ユニット３０３は、左可動ユニット３０２と左右対称な形状に形成されており、回動軸が設けられた歯車片４７３を有している。この歯車片４７３は、左可動ユニット３０２の歯車片３７３に噛み合っている。これにより、右可動ユニット３０３は、左可動ユニット３０２の回動に連動して、右可動ユニット３０３が回動する方向と反対の方向に回動する。例えば、左可動ユニット３０２が第１の回転方向Ｒ１に回動すると、右可動ユニット３０３は、第２の回転方向Ｒ２に回動する。
【０１３５】
左可動ユニット３０２及び右可動ユニット３０３の構成については、後で図１４を参照して説明する。
【０１３６】
［駆動機構］
駆動機構３０４は、モータ（可動部材用モータ）３３１と、モータ３３１の回転軸に固定されたクランク３３２と、クランク３３２及び左可動ユニット３０２の係合ピン３７８に係合されるスライダ３３３と、ガイドピン３３４，３３５とを有する。ガイドピン３３４，３３５は、本発明に係るガイド部の一具体例を示すものである。
【０１３７】
図１２に示すように、モータ３３１は、ベース部３０１の前板部３１４における背面３１４ｂ側に配置されおり、前板部３１４にねじなどを用いて固定されている。モータ３３１は、前後方向Ｙに延びる回転軸３３１ａを有している。図１３に示すように、モータ３３１の回転軸３３１ａは、ベース部３０１の前板部３１４を貫通して、前板部３１４の背面３１４ｂ側に突出している。
【０１３８】
クランク３３２は、ベース部３０１の前板部３１４における背面３１４ｂ側に配置されており、モータ３３１の回転軸に固定された固定部３３８と、固定部３３８に設けられた係合ピン３３９とを有している。
【０１３９】
固定部３３８は、円板状に形成されており、その中心部がモータ３３１の回転軸に固定されている。係合ピン３３９は、固定部３３８の外縁部に形成されている。この係合ピン３３９は、前後方向Ｙに突出しており、スライダ３３３の後述する第１カム溝３４１に係合される。
【０１４０】
スライダ３３３は、左右方向に長い略長方形の板状に形成されている。このスライダ３３３には、第１カム溝３４１と、第２カム溝３４２と、２つの係合溝３４３，３４４が設けられている。
【０１４１】
第１カム溝３４１は、背面側から見てスライダ３３３の左辺部に形成されており、上下方向Ｚに延びている。この第１カム溝３４１には、駆動機構３０４のクランク３３２における係合ピン３３９が係合される。
第２カム溝３４２は、スライダ３３３の中央部に形成されており、上下方向Ｚに延びている。この第２カム溝３４２には、左可動ユニット３０２の係合ピン３７８が係合される。
【０１４２】
２つの係合溝３４３，３４４は、第２カム溝３４２の左右方向Ｘの両側に形成されており、左右方向Ｘに延びている。係合溝３４３には、ガイドピン取付部３２３に嵌入されたガイドピン３３４（図１５参照）が係合される。また、係合溝３４４には、ガイドピン取付部３２４に嵌入されたガイドピン３３５（図１５参照）が係合される。
【０１４３】
モータ３３１の回転軸３３１ａが回転して、回転軸３３１ａと共にクランク３３２が回転すると、クランク３３２の係合ピン３３９が回転軸３３１ａを中心に回動する。これにより、係合ピン３３９が第１カム溝３４１を摺動して、スライダ３３３がガイドピン３３４，３３５に案内されて左右方向Ｘへ移動する。その結果、左可動ユニット３０２の係合ピン３７８が第２カム溝３４２を摺動して、左可動ユニット３０２が回動軸を中心に回動する。
【０１４４】
［背面カバー］
背面カバー３０５は、左右方向に長い略長方形の板状に形成されており、一方の平面である前面３０５ａと、他方の平面である背面３０５ｂを有している。この背面カバー３０５は、装飾枠１０１の上枠部１０５（図１０参照）にねじなどを用いて固定されている。
【０１４５】
背面カバー３０５の前面３０５ａは、スライダ３３３、左可動ユニット３０２及び右可動ユニット３０３を挟んでベース部３０１に対向する。背面カバー３０５の前面３０５ａには、当接部３０６がねじなどを用いて固定されている。背面カバー３０５を装飾枠１０１の上枠部１０５に固定すると、当接部３０６は、左可動ユニット３０２及び右可動ユニット３０３における歯車片３７３，４７３の下方に配置される。
【０１４６】
［左可動ユニットの構成］
次に、左可動ユニット３０２の構成について、図１４を参照して説明する。
図１４は、左可動ユニット３０２を背面側から見た分解斜視図である。
【０１４７】
図１４に示すように、左可動ユニット３０２は、前後方向Ｙに重ね合わされた第１部材３５１、第２部材３５２及び第３部材３５３から構成されている。
【０１４８】
第１部材３５１は、適当な厚みを有する板状の部材であり、ベース部３０１（図１３参照）に対向する前面３５１ａと、前面３５１ａと反対側の背面３５１ｂとを有している。そして、第１部材３５１は、略円弧状に形成された円弧部３６１と、この円弧部３６１の一端に連続する略直線状の直線部３６２とを有している。
【０１４９】
円弧部３６１には、化粧部材３６４が取り付けられている。この化粧部材３６４は、円弧部３６１における前面３５１ａ及び外側面の一部を覆っている。また、円弧部３６１における背面３５１ｂには、ばね取付部３６５と、ばね係止突部３６６が設けられている。
【０１５０】
ばね取付部３６５は、背面３５１ｂから略垂直に突出する円筒状に形成されている。このばね取付部３６５の筒孔は、円弧部３６１に設けられた貫通孔（不図示）に連通している。ばね取付部３６５の筒孔及び円弧部３６１の貫通孔には、第３部材の後述する回動軸部３９４が挿通される。ばね係止突部３６６は、適当な厚みを有する板状に形成されており、一方の平面が、ばね取付部３６５に対向している。
【０１５１】
直線部３６２における背面３５１ｂには、接続部材３７１が取り付けられている。接続部材３７１は、直線部３６２の先端部に固定される固定片３７２と、固定片３７２に連続する歯車片３７３とを有している。固定片３７２には、係止ピン３７５が設けられている。この係止ピン３７５は、第２部材３５２の後述する回動規制溝３８６に係合される。
【０１５２】
歯車片３７３は、円板状に形成されており、側周面の一部が固定片３７２に連続している。そして、歯車片３７３の側周面における他部には、歯部３７６が形成されている。歯車片３７３は、直線部３６２の先端よりも突出しており、ベース部３０１（図１３参照）に対向する前面と、前面とは反対側の背面を有している。
【０１５３】
歯車片３７３の前面における中心部には、回動軸（不図示）が設けられている。この回動軸は、歯車片３７３の前面から略垂直に突出する円柱状に形成されており、ベース部３０１のユニット接続部３２１（図１３参照）の嵌合孔に回動可能に嵌合される。これにより、左可動ユニット３０２は、ベース部３０１のユニット接続部３２１に回動可能に接続される。
【０１５４】
歯車片３７３の背面における中心部には、連結軸３７７が設けられている。この連結軸３７７は、歯車片３７３の背面から略垂直に突出する円柱状に形成されている。連結軸３７７には、第２部材３５２の後述する軸受片３８７が回動可能に連結される。
【０１５５】
また、歯車片３７３の背面における外縁部には、係合ピン３７８が設けられている。この係合ピン３７８は、歯車片３７３の背面から略垂直に突出する円柱状に形成されている。係合ピン３７８は、スライダ３３３の第２カム溝３４２（図１３参照）に係合される。
【０１５６】
第２部材３５２は、適当な厚みを有する板状の部材であり、第１部材３５１の背面３５１ｂに対向する前面３５２ａと、前面３５２ａと反対側の背面３５２ｂとを有している。この第２部材３５２は、第１部材３５１同様に、円弧部３８１と、この円弧部３８１の一端に連続する直線部３８２とを有している。
【０１５７】
円弧部３８１における前面３５２ａは、複数の凹凸により模様を形成した装飾が施されている。また、円弧部３８１には、円弧状の係合溝３８４が形成されている。この係合溝３８４には、第３部材３５３の係合ピン３９６が係合される。
【０１５８】
直線部３８２の略中央部には、回動規制溝３８６が設けられている。この回動規制溝３８６には、第１部材３５１の係止ピン３７５が係合される。回動規制溝３８６との係止ピン３７５は、第１部材３５１と第２部材３５２との相対的な移動の範囲を制限する。
【０１５９】
また、直線部３８２の先端部には、軸受片３８７が設けられている。この軸受片３８７は、嵌合孔を有しており、第１部材３５１の連結軸３７７に回動可能に嵌合される。これにより、第２部材３５２は、第１部材３５１に回動可能に接続される。
【０１６０】
第３部材３５３は、適当な厚みを有する略リング状の第３部材本体３９１と、第３部材本体３９１に接続される係合補助部３９２とを備えている。第３部材本体３９１は、装飾枠１０１の上枠部１０５（図１０参照）に対向する前面３９１ａと、第１部材３５１の前面３５１ａに対向する背面３９１ｂとを有している。
【０１６１】
第３部材本体３９１の前面３９１ａには、複数の凹凸により模様を形成した装飾が施されている。第３部材本体３９１の背面３９１ｂには、回動軸部３９４が設けられている。この回動軸部３９４は、第３部材本体３９１の背面３９１ｂから略垂直に突出している。回動軸部３９４は、第１部材３５１の円弧部３６１に設けた貫通孔及びばね取付部３６５の筒孔を貫通して、係合補助部３９２に嵌合される。
【０１６２】
係合補助部３９２は、第１部材３５１と第２部材３５２との間に介在される軸支持部３９５と、この軸支持部３９５に固定される係合ピン３９６とを有している。軸支持部３９５は、略直方体状に形成されており、第１部材３５１の背面３５１ｂに対向する前面と、第２部材３５２の前面３５２ａに対向する背面を有している。
【０１６３】
軸支持部３９５には、前面及び背面に開口される軸嵌合孔３９７が設けられている。この軸嵌合孔３９７には、第３部材本体３９１の回動軸部３９４が回転不可能に挿通され、回動軸部３９４の先端部は、軸支持部３９５の背面から突出する。そして、回動軸部３９４の先端部には、抜け止め部材３９９が取り付けられる。これにより、係合補助部３９２は、第３部材本体３９１の回動軸部３９４に接続される。また、第３部材本体３９１と係合補助部３９２からなる第３部材３５３は、第１部材３５１に対して回動可能に接続される。
【０１６４】
軸支持部３９５の背面には、ピン取付部３９８が設けられている。このピン取付部３９８は、軸支持部３９５の背面から略垂直に突出する円柱状に形成されており、その軸心は、回動軸部３９４の軸心（第１部材３５１に対する第３部材３５３の回動中心）に対してずれている。
【０１６５】
係合ピン３９６は、抜け止め部材３９９を用いてピン取付部３９８に回転可能に取り付けられる。この係合ピン３９６の回転中心は、ピン取付部３９８の軸心に一致している。係合ピン３９６は、第２部材３５２の係合溝３８４に係合される。係合ピン３９６が第２部材３５２の係合溝３８４に沿って移動すると、係合補助部３９２及び第３部材本体３９１（第３部材３５３）は、第１部材３５１に対して回動軸部３９４を中心に回動する。
【０１６６】
第１部材３５１のばね取付部３６５には、付勢部材の一具体例を示すねじりコイルばね４００が嵌合されている。ねじりコイルばね４００の一端は、第１部材３５１のばね係止突部３６６に係止され、他端は、係合補助部３９２に係止されている。このねじりコイルばね４００は、係合補助部３９２（第３部材３５３）を第２の回転方向Ｒ２へ付勢する。
【０１６７】
［右可動ユニットの構成］
次に、右可動ユニット３０３の構成について、図１３を参照して説明する。
【０１６８】
図１３に示すように、右可動ユニット３０３は、左可動ユニット３０２と同様の構成を有しており、左可動ユニット３０２と左右対称に形成されている。つまり、右可動ユニット３０３は、前後方向Ｙに重ね合わされた第１部材４５１、第２部材４５２及び第３部材４５３から構成されている。
【０１６９】
第１部材４５１には、歯車片４７３を有する接続部材４７１が取り付けられている。接続部材４７１には、係止ピン４７５が設けられている。歯車片４７３には、左可動ユニット３０２の歯部３７６に噛み合う歯部４７６が形成されている。また、第１部材４５１には、ベース部３０１におけるユニット接続部３２２の嵌合孔に回動可能に嵌合される回動軸（不図示）が設けられている。これにより、右可動ユニット３０３は、ベース部３０１のユニット接続部３２２に回動可能に接続される。
【０１７０】
第２部材４５２には、円弧状の係合溝４８４と、回動規制溝４８６と、軸受片４８７が設けられている。回動規制溝４８６には、第１部材４５１の係止ピン４７５が係合される。軸受片４８７は、第１部材４５１の連結軸（不図示）に回動可能に嵌合される。これにより、第２部材４５２は、第１部材４５１に回動可能に接続される。
【０１７１】
第３部材４５３は、第１部材４５１を貫通する回動軸部（不図示）を有しており、第１部材４５１に回動可能に接続される。この第３部材４５３は、第２部材４５２の係合溝４８４に係合される係合ピン４９６を有している。係合ピン４９６の軸心は、回動軸部の軸心に対してずれている。係合ピン４９６が第２部材４５２の係合溝４８４に沿って移動すると、第３部材４５３は、第１部材４５１に対して回動軸部（不図示）を中心に回動する。
また、第３部材４５３は、ねじりコイルばね（不図示）によって第１の回転方向Ｒ１（図１５参照）へ付勢されている。
【０１７２】
＜可動装飾部のロック＞
次に、可動装飾部２３のロックについて、図１５を参照して説明する。
図１５は、可動装飾部２３の左右の可動ユニット３０２，３０３が待機位置に配置された状態を示す説明図である。
【０１７３】
可動装飾部２３の左右の可動ユニット３０２，３０３は、通常、装飾枠１０１における上枠部１０５の裏面側に隠れる待機位置（第１位置）に配置されている。そして、特別の演出が行われる場合に動作して、装飾枠１０１の開口１０１ａに露出される露出位置（第２位置）に配置される。
【０１７４】
図１５に示すように、待機位置に配置された左可動ユニット３０２は、第１部材３５１の円弧部３６１が上方に向かって凸となる状態で停止している。また、右可動ユニット３０３は、左可動ユニット３０２と左右対称に配置されており、第１部材４５１の円弧部４６１が上方に向かって凸となる状態で停止している。
【０１７５】
右可動ユニット３０３の状態は、左可動ユニット３０２の状態と左右対称である。そのため、ここからは、左可動ユニット３０２の状態について説明し、右可動ユニット３０３の状態についての説明を省略する。
【０１７６】
左可動ユニット３０２が待機位置に配置された状態において、第１部材３５１の係止ピン３７５は、第２部材３５２の回動規制溝３８６における一端に係合されている。これにより、第２部材３５２は、自重により第１部材３５１に対して回動することが無い。そして、第２部材３５２の円弧部３８１は、第１部材３５１の円弧部３６１に前後方向Ｙから見て重なっている。
【０１７７】
また、左可動ユニット３０２が待機位置に配置された状態において、第３部材３５３の係合ピン３９６は、第２部材３５２の係合溝３８４における一端に係合されている。そして、第３部材３５３は、ねじりコイルばね４００（図１４参照）によって第２の回転方向Ｒ２へ付勢されている。これにより、第３部材３５３は、自重により第１部材３５１に対して回動することが無い。
【０１７８】
また、左可動ユニット３０２が待機位置に配置された状態において、第１部材３５１の歯車片３７３に設けた係合ピン３７８が、スライダ３３３の第２カム溝３４２に係合している。また、ベース部３０１に取り付けたガイドピン３３４，３３５は、スライダ３３３の係合溝３４３，３４４における一端にそれぞれ係合している。
【０１７９】
以下、係合溝３４３の一端から係合溝３４３の他端へ向かう方向を右方向Ｘ１として、係合溝３４３の他端から係合溝３４３の一端へ向かう方向を左方向Ｘ２とする。右方向Ｘ１は、本発明に係る第１の方向の一方を示しており、左方向Ｘ２は、本発明に係る第１の方向の他方を示している。
【０１８０】
上述したように、ガイドピン３３４，３３５が係合溝３４３，３４４に一端に係合しているため、スライダ３３３の右方向Ｘ１への移動が係止されている。その結果、第１部材３５１の係合ピン３７８は、スライダ３３３によって右方向Ｘ１へ押圧されることが無く、第１部材３５１（左可動ユニット３０２）の第２の回転方向Ｒ２への回動が阻止されている。
【０１８１】
また、左可動ユニット３０２が待機位置に配置された状態において、クランク３３２の係合ピン３３９が、スライダ３３３の第１カム溝３４１における一端（上端）に係合している。これにより、クランク３３２の第１の回転方向Ｒ１への回動が制限されている。
そして、係合ピン３３９の軸心は、左右方向Ｘに平行であり、且つ、モータ３３１の回転軸３３１ａにおける軸心（クランク３３２の回転中心）を含む平面上の位置よりも上方（第１の回転方向Ｒ１に変位した位置）に配置されている。
【０１８２】
これにより、スライダ３３３が係合ピン３３９を左方向Ｘ２へ押圧したときに、クランク３３２は、第１の回転方向Ｒ１へ回転しようとする。しかし、スライダ３３３の第１カム溝３４１が係合ピン３３９の第１の回転方向Ｒ１への移動を制限しているため、クランク３３２は、第１の回転方向Ｒ１及び第２の回転方向Ｒ２に回転しない。
【０１８３】
したがって、スライダ３３３の左方向Ｘ２への移動が制限される。その結果、第１部材３５１の係合ピン３７８は、スライダ３３３によって左方向Ｘ２へ押圧されることが無く、第１部材３５１（左可動ユニット３０２）の第１の回転方向Ｒ１への回動が阻止されている。
【０１８４】
なお、右可動ユニット３０３の歯部４７６が、左可動ユニット３０２の歯部３７６に噛み合っているため、左可動ユニット３０２が回動しなければ、右可動ユニット３０３は回動しない。
【０１８５】
このように、本実施の形態によれば、左右の可動ユニット３０２，３０３を待機位置に配置すれば、左右の可動ユニット３０２，３０３の回動をロックすることができる。これにより、パチスロ１に振動や衝撃が加わっても、可動装飾部２３の左右の可動ユニット３０２，３０３が、パチスロ１を構成するその他の部材に接触しないようにすることができる。
【０１８６】
左右の可動ユニット３０２，３０３のロックは、駆動機構３０４のモータ３３１（図１３参照）を駆動させて、モータ３３１の回転軸３３１ａを第２の回転方向Ｒ２に回転させることにより解除される。
【０１８７】
本実施の形態では、左可動ユニット３０２が待機位置に配置された状態において、係合ピン３３９の軸心が、左右方向Ｘに平行であり、且つ、回転軸３３１ａにおける軸心を含む平面上の位置よりも上方に配置される構成とした。
しかしながら、係合ピン３３９の軸心は、且つ、モータ３３１の回転軸３３１ａにおける軸心（クランク３３２の回転中心）を含む平面上に配置されていてもよい。この場合は、スライダ３３３が係合ピン３３９を左方向Ｘ２へ押圧しても、クランク３３２が第１の回転方向Ｒ１及び第２の回転方向Ｒ２に回転しない。
【０１８８】
したがって、スライダ３３３の左方向Ｘ２への移動が制限され、第１部材３５１の係合ピン３７８は、スライダ３３３によって左方向Ｘ２へ押圧されることが無い。その結果、第１部材３５１（左可動ユニット３０２）の第１の回転方向Ｒ１への回動が阻止される。
【０１８９】
＜可動装飾部の動作＞
次に、可動装飾部２３の動作について、図１５〜図１９を参照して説明する。
図１６は、図１５に示す状態から可動装飾部２３の左右の可動ユニット３０２，３０３が回動した状態を示す説明図である。図１７は、図１６に示す状態から可動装飾部２３の左右の可動ユニット３０２，３０３の第２及び第３部材が第１部材に対して移動した状態を示す説明図である。図１８は、図１７に示す状態から可動装飾部２３の左右の可動ユニット３０２，３０３がさらに動作して露出位置に配置された状態を示す説明図である。図１９は、可動装飾部２３の左右の可動ユニット３０２，３０３が露出位置に配置されたときのフロントパネル１０を正面から見た説明図である。
【０１９０】
左右の可動ユニット３０２，３０３を図１５に示す待機位置から図１８に示す露出位置に移動させる場合は、駆動機構３０４のモータ３３１（図１３参照）を駆動させて、モータ３３１の回転軸３３１ａを第２の回転方向Ｒ２に回転させる。
【０１９１】
これにより、クランク３３２が第２の回転方向Ｒ２に回転し、クランク３３２の係合ピン３３９が、スライダ３３３の第１カム溝３４１に係合しながら、回転軸３３１ａを中心に第２の回転方向Ｒ２へ変位する。その結果、図１６に示すように、係合ピン３３９が左方向Ｘ２へ移動した距離だけ、スライダ３３３がガイドピン３３４，３３５に案内されて左方向Ｘ２へ移動する。
【０１９２】
左方向Ｘ２へ移動するスライダ３３３は、係合ピン３７８を左方向Ｘ２に押圧する。これにより、係合ピン３７８は、スライダ３３３の第２カム溝３４２に係合しながら、第１部材３５１の回動軸（連結軸３７７と同軸）を中心に第１の回転方向Ｒ１へ変位する。
【０１９３】
その結果、係合ピン３７８を設けた第１部材３５１、及び第１部材３５１に接続された第２及び第３部材３５２，３５３が回動軸を中心に第１の回転方向Ｒ１へ回動する。このとき、第２及び第３部材３５２，３５３は、第１部材３５１に対して移動しない。つまり、左可動ユニット３０２は、待機位置に配置回動軸を中心に第１の回転方向Ｒ１へ回動する。
【０１９４】
左可動ユニット３０２の歯車片３７３は、右可動ユニット３０３の歯車片４７３に噛み合っている。そのため、左可動ユニット３０２が回動軸（連結軸３７７と同軸）を中心に第１の回転方向Ｒ１へ回動すると、右可動ユニット３０３は、回動軸（連結軸４７７と同軸）を中心に第２の回転方向Ｒ２へ回動する。これにより、左可動ユニット３０２と右可動ユニット３０３は、待機位置から互いに接近するように回動する。
【０１９５】
また、左可動ユニット３０２が第１の回転方向Ｒ１へ回動すると、左可動ユニット３０２における第２部材３５２の直線部３８２が当接部３０６に当接する。これにより、第２部材３５２の第１の回転方向Ｒ１への回動が停止される。これと同様に、右可動ユニット３０３が第２の回転方向Ｒ２へ回動すると、右可動ユニット３０３における第２部材４５２の直線部４８２が当接部３０６に当接する。これにより、第２部材４５２の第２の回転方向Ｒ２への回動が停止される。
【０１９６】
クランク３３２が図１６に示す状態からさらに第２の回転方向Ｒ２に回転すると、スライダ３３３がさらに左方向Ｘ２へ移動する。その結果、図１７に示すように、係合ピン３７８がスライダ３３３によって左方向Ｘ２へ押圧されて、第１部材３５１が回動軸（連結軸３７７と同軸）を中心に第１の回転方向Ｒ１へ回動する。
【０１９７】
このとき、第２部材３５２は、直線部３８２が当接部３０６に当接しているため、第１部材３５１と共に回動しない。これにより、第２部材３５２は、第１部材３５１に対して連結軸３７７を中心に回動する。つまり、第１部材３５１と第２部材３５２とは、相対的に移動する。その結果、第２部材３５２の円弧部３８１は、前後方向Ｙから見て第１部材３５１の円弧部３６１に重ならなくなり、フロントパネル１０（図１９参照）を正面からみると、第２部材３５２の円弧部３８１が露出される。
【０１９８】
第１部材３５１と第２部材３５２とが相対的に移動すると、第３部材３５３の係合ピン３９６が、第２部材３５２の係合溝３８４における一端から他端に向かって移動する。その結果、第３部材本体３９１及び係合補助部３９２は、第１部材３５１に対して回動軸部３９４を中心に第１の回転方向Ｒ１へ回動する。つまり、第１部材３５１と第３部材３５３とは、相対的に移動する。なお、第３部材本体３９１及び係合補助部３９２は、ねじりコイルばね４００（図１４参照）による第２の回転方向Ｒ２への付勢力に抗して、第１の回転方向Ｒ１へ回動する。
【０１９９】
一方、左可動ユニット３０２の第１部材３５１が、図１６に示す状態から第１の回転方向Ｒ１へ回動すると、右可動ユニット３０３の第１部材４５１が、図１６に示す状態から第２の回転方向Ｒ２へ回動する（図１７参照）。このとき、第２部材４５２は、第１部材４５１と共に回動せず、第１部材４５１に対して連結軸４７７を中心に回動する。つまり、第１部材４５１と第２部材４５２とは、相対的に移動する。
【０２００】
そして、第１部材４５１と第２部材３５２とが相対的に移動することにより、第３部材本体４９１及び係合補助部４９２は、第１部材４５１に対して回動軸部４９４を中心に第２の回転方向Ｒ２へ回動する。つまり、第１部材４５１と第３部材４５３とは、相対的に移動する。
【０２０１】
クランク３３２が図１７に示す状態からさらに第２の回転方向Ｒ２に回転すると、スライダ３３３がさらに左方向Ｘ２へ移動する。その結果、図１８に示すように、係合ピン３７８がスライダ３３３によって左方向Ｘ２へ押圧されて、第１部材３５１が回動軸（連結軸３７７と同軸）を中心に第１の回転方向Ｒ１へ回動する。
【０２０２】
これにより、当接部３０６に当接している第２部材３５２は、第１部材３５１に対して連結軸３７７を中心に回動する。そして、第１部材３５１の係止ピン３７５が、第２部材３５２の回動規制溝３８６の他端に係合し、第１部材３５１の第１の回転方向Ｒ１への回動が停止する。これにより、第１部材３５１と第２部材３５２との相対的な移動が停止する。
【０２０３】
また、第３部材３５３の係合ピン３９６が、第２部材３５２の係合溝３８４における他端に係合する。その結果、第３部材本体３９１及び係合補助部３９２の第１の回転方向Ｒ１への回動が停止する。つまり、第１部材３５１と第３部材３５３との相対的な移動が停止する。
【０２０４】
一方、右可動ユニット３０３の第１部材４５１は、図１７に示す状態から第２の回転方向Ｒ２へ回動する。そして、第１部材４５１の係止ピン４７５が、第２部材４５２の回動規制溝４８６の他端に係合し、第１部材４５１の第２の回転方向Ｒ２への回動が停止する。また、第３部材４５３の係合ピン４９６が、第２部材４５２の係合溝４８４における他端に係合し、第３部材本体４９１及び係合補助部４９２の第２の回転方向Ｒ２への回動が停止する。
【０２０５】
これにより、可動装飾部２３の左可動ユニット３０２及び右可動ユニット３０３は、露出位置に配置される。図１９に示すように、露出位置に配置された左可動ユニット３０２及び右可動ユニット３０３は、表示窓４の上方に配置される。上述したように、可動装飾部２３は、左可動ユニット３０２の第１部材３５１を回動させるだけで、第２部材３５２及び第３部材３５３と、右可動ユニット３０３の第１部材４５１、第２部材４５２、第３部材４５３を回動させることができる。
これにより、可動装飾部２３を徐々に拡がるように変形させることができ、可動装飾部２３に躍動感のある動作を行わせることができる。
【０２０６】
また、第３部材３５３，４５３の係合ピン３９６，４９６の軸心が、第３部材３５３，４５３の回動軸部３９４，４９４（回動中心）からずれている。
これにより、第１部材３５１，４５１と第２部材３５２，４５２が相対的に移動することにより、第３部材３５３，４５３が回動する構造を簡単な構成で実現することができる。
【０２０７】
また、第２部材３５２，４５２は、第１部材３５１，４５１に回動可能に接続されており、第２部材３５２，４５２の回動中心（連結軸３７７）は、第１部材３５１，４５１の回動中心（回動軸）に一致している。これにより、第２部材３５２，４５２が当接部３０６に当接すると、同一の回動中心で、且つ、互いに反対の方向に回動するように見せることができる。その結果、可動装飾部２３の動作をより躍動感のある動作にすることができる。
【０２０８】
左右の可動ユニット３０２，３０３を露出位置から待機位置に移動させる場合は、駆動機構３０４のモータ３３１（図１３参照）を駆動させて、モータ３３１の回転軸３３１ａを第１の回転方向Ｒ１に回転させる。
【０２０９】
これにより、クランク３３２が第１の回転方向Ｒ１に回転し、クランク３３２の係合ピン３３９が、スライダ３３３の第１カム溝３４１に係合しながら、回転軸３３１ａを中心に第１の回転方向Ｒ１へ変位する。その結果、係合ピン３３９が右方向Ｘ１へ移動した距離だけ、スライダ３３３がガイドピン３３４，３３５に案内されて右方向Ｘ１へ移動する。
【０２１０】
右方向Ｘ１へ移動するスライダ３３３は、係合ピン３７８を右方向Ｘ１に押圧し、係合ピン３７８がスライダ３３３の第２カム溝３４２に係合しながら、第１部材３５１の回動軸（連結軸３７７と同軸）を中心に第２の回転方向Ｒ２へ変位する。
【０２１１】
その結果、係合ピン３７８を設けた第１部材３５１、及び第１部材３５１に接続された第２及び第３部材３５２，３５３が回動軸を中心に第２の回転方向Ｒ２へ回動する。このとき、第２及び第３部材３５２，３５３は、第１部材３５１に対して回動する。これにより、左可動ユニット３０２は、第１部材３５１、第２部材３５２、第３部材３５３が畳まれるように変形しながら待機位置に配置される。
【０２１２】
なお、右可動ユニット３０３の第１部材４５１は、左可動ユニット３０２の第１部材３５１の回動することにより回動する。これにより、右可動ユニット３０３は、第１部材４５１、第２部材４５２、第３部材４５３が畳まれるように変形しながら待機位置に配置される。
【０２１３】
また、本実施の形態では、可動装飾部２３における第２部材３５２，４５２の回動中心（連結軸３７７）が、第１部材３５１，４５１の回動中心（回動軸）に一致する構成とした。しかしながら、本発明に係る第２部材の回動中心が、第１部材の回動中心に一致していなくてもよい。
【０２１４】
また、本実施の形態では、可動装飾部２３の第１部材３５１，４５１をベース部３０１に対して回動させる構成とした。しかしながら、本発明に係る第１部材としては、駆動機構によって直線移動する部材であってもよい。
【０２１５】
また、本実施の形態では、可動装飾部２３の第２部材３５２，４５２が第１部材３５１，３５２に回動可能に接続される構成とした。しかしながら、本発明に係る第２部材としては、第１部材に直線移動可能に接続されていてもよい。
また、本実施の形態では、可動装飾部２３の第３部材３５３，４５３が第１部材３５１，３５２に回動可能に接続される構成とした。しかしながら、本発明に係る第３部材としては、第１部材に直線移動可能に接続されていてもよい。
【０２１６】
ところで、特開２００９−２６１５９９号公報に開示されているような遊技機では、可動役物を設けた部分から遊技機の内部に異物が混入したり、遊技機の内部に配置された制御基板に対して不正行為が行われたりする可能性がある。そのため、可動役物を格納する空間は、閉塞されていることが好ましい。
【０２１７】
しかしながら、可動役物を格納する空間を閉塞すると、閉塞された空間内の温度が表示部や可動役物から発生する熱によって高温になり、表示部や可動役物に不具合が生じてしまう虞がある。
【０２１８】
本発明の目的は、可動役物に躍動感のある動作を行わせることにある。
【０２１９】
以上、本発明の一実施形態に係る遊技機について、その作用効果も含めて説明したが、本発明はここで説明した実施の形態に限定されるものではない。特許請求の範囲に記載した本発明の要旨を逸脱しない限り、種々の実施の形態を含むことは言うまでもない。
【符号の説明】
【０２２０】
１…パチスロ、  ２…外装体、  ２ａ…キャビネット、  ２ｂ…フロントドア、  ３Ｌ…左リール、  ３Ｃ…中リール、  ３Ｒ…右リール、  ４…表示窓、  ６…７セグ表示器、  ７…把手、  ９…ドア本体、  １０…フロントパネル、  １１…液晶表示装置、  １１ａ…表示部、  １２…台座部、１３…メダル投入口、  １８…メダル払出口、  １９…メダル受皿、  ２０Ｌ，２０Ｒ…スピーカ、  ２１…ランプ群、  ２１ａ…ランプ、  ２２…回転装飾部、  ２３…可動装飾部、  ３１…主基板、  ３２…副基板、  ３３…ホッパー（メダル払出装置）、  ３４…電源装置、  ３５…セレクタ、  ４１…主制御回路、  ４２…副制御回路、  １０１…装飾枠、  １０１ａ…開口、  １０２…保護カバー、  ２００…閉塞空間、  ２０１…送風機、  ２０１ａ…吸気口、  ２０１ｂ…排気口
【図１】
2020058836.tif 000003
【図２】
2020058836.tif 000004
【図３】
2020058836.tif 000005
【図４】
2020058836.tif 000006
【図５】
2020058836.tif 000007
【図６】
2020058836.tif 000008
【図７】
2020058836.tif 000009
【図８】
2020058836.tif 000010
【図９】
2020058836.tif 000011
【図１０】
2020058836.tif 000012
【図１１】
2020058836.tif 000013
【図１２】
2020058836.tif 000014
【図１３】
2020058836.tif 000015
【図１４】
2020058836.tif 000016
【図１５】
2020058836.tif 000017
【図１６】
2020058836.tif 000018
【図１７】
2020058836.tif 000019
【図１８】
2020058836.tif 000020
【図１９】
2020058836.tif 000021